(57)【特許請求の範囲】
【請求項１】
第１の端局装置と、前記端局装置に接続された分岐装置と、前記端局装置と前記分岐装置を介して接続された複数の第２の端局装置と、前記第１及び第２の端局装置の各々の前段に配置された中継器とを有する波長多重光ネットワークシステムであって、
前記複数の第２の端局装置の各々と前記中継器との間に遮断器を備え、さらに、
前記第１の端局装置からは、前記複数の第２の端局装置の各々に対応した波長帯全ての送信信号を重ねた送信信号を送信する手段と、
前記複数の第２の端局装置の各々からは、自局に対応した波長帯の送信信号と、自局を除く他の前記複数の第２の端局装置の各々に対応した波長帯全てのダミーの送信信号とを重ねた送信信号を送信する手段と、
を備えたことを特徴とする波長多重光ネットワークシステム。
【請求項２】
前記遮断器は、該遮断器の後段に位置する前記第２の端局装置に対応した波長帯の送信信号のみをパスさせ、他の波長帯の送信信号は全て遮断するものであることを特徴とする請求項１記載の波長多重光ネットワークシステム。
【請求項３】
前記中継器は、前記複数の第２の端局装置の各々に対応した波長帯全ての送信信号が重ねられた信号の信号レベルで正常動作する仕様を有することを特徴とする請求項１または請求項２記載の波長多重光ネットワークシステム。
【請求項４】
海底ケーブルシステムとして設置されることを特徴とする請求項１乃至３のいずれか１項に記載の波長多重光ネットワークシステム。
【請求項５】
前記遮断器を、前記いずれかの中継器の出力端に設置したことを特徴とする請求項４記載の波長多重光ネットワークシステム。
【請求項６】
前記遮断器を、海底ケーブルと陸揚げケーブルとを結ぶジョイントボックス内に設置したことを特徴とする請求項４記載の波長多重光ネットワークシステム。
【請求項７】
第１の端局装置と、前記端局装置に接続された分岐装置と、前記端局装置と前記分岐装置を介して接続された複数の第２の端局装置と、前記第１及び第２の端局装置の各々の前段に配置された中継器とを有する波長多重光ネットワークシステムにおける波長多重光の送受信方法であって、
前記複数の第２の端局装置の各々と前記中継器との間に遮断器を設置するステップと、
前記第１の端局装置からは、前記複数の第２の端局装置の各々に対応した波長帯全ての送信信号を重ねた送信信号を送信するステップと、
前記複数の第２の端局装置の各々からは、自局に対応した波長帯の送信信号と、自局を除く他の前記複数の第２の端局装置の各々に対応した波長帯全てのダミーの送信信号とを重ねた送信信号を送信するステップと、
を有することを特徴とする波長多重光の送受信方法。
【発明の詳細な説明】
【技術分野】
【０００１】
本発明は波長多重光ネットワークシステム及び波長多重光の送受信方法に係り、特に、３局以上の複数局を含む波長多重光ネットワークシステムの各々の局において、当該局用の波長（または波長帯）以外の波長（または波長帯）の信号は受信できないようにする機能（即ち、波長セキュリティ機能）を高めた波長多重光ネットワークシステム及び波長多重光の送受信方法に関する。
【背景技術】
【０００２】
近年、波長多重光伝送を担う波長多重光ネットワークシステムの分野では、局数が３局以上の複数局である場合の光ネットワークシステムとして、光のＡｄｄ／Ｄｒｏｐ機能（ＯＡＤＭ）を有する波長分岐装置を使用する光ネットワークシステムが提案されている。
しかしながら、既成の波長多重光ネットワークシステムでは、これを用いて海底ケーブルシステムのような多国間を結ぶ通信を行う場合において、盗聴防止等のセキャリティ対策上の課題が残されている。
【０００３】
海底ケーブルシステムのような多国籍のコンソーシアムからなる巨大プロジェクトにおいては、互いに友好関係にない国同士が参加するプロジェクトも存在するので、通信情報の漏話は大問題となる。これまでのファイバ分岐型の分岐装置では、実際の伝送路が異なるものであったために特に問題は生じていなかったが、これからの波長分岐機能を有する分岐装置を備えた波長多重光信号の受信装置を含む波長多重光ネットワークシステムでは、通信情報の漏話が危惧され、重大な問題点として浮上してきているので、この点の解決を含むセキュリティ対策が重要な課題となっている。
【０００４】
この分野の既成技術として、例えば、特許文献１には、ＡＳＥ光源から出力された広帯域波長成分を含む自然光を、光カプセラに入力してｎ個の自然光に分岐すると共に、この分岐された自然光を狭帯域バンドパスフィルターを介して得られる光を、必要に応じて光増幅器で光増幅する技術、及びＡＯＴＦに波長λ１〜λｎの波長多重光信号を入力し、８種類の波長の光信号にアッド／ドロップすると共に各波長の光信号を電気ＡＤＭ（光信号受信器）に送出する技術が提案されている。
また、特許文献２には、光信号を光アンプによって増幅した後、波長選択フィルタを備えた光カプセラを用いて、ドロップされてきた光信号を波長の数だけ分岐する技術が開示されている。
【０００５】
また、特許文献３には、ＥＤＦＡ増幅器回路に入力するパワー信号のレベルを監視する構成において、ダミーレーザの出力を前記のＥＤＦＡ増幅器回路することと、このダミーレーザの出力パワーが所定の利得またはパワーレベルになるように制御することと、分岐ポートから出力された信号光は、各々対応する受信器で受信処理することが開示されている。
さらに、特許文献４には、信号光を、光分岐部の光アンプに送出し、所要のパワーまで増幅した後、カプラに送出してＭ個の信号光に分岐し、波長選択用ＡＯＴＦに送出する技術が開示されている。
【先行技術文献】
【特許文献】
【０００６】
【特許文献１】特開２０００−２８６４９２号公報
【特許文献２】特開２００４−２６６８６５号公報
【特許文献３】特開２００８−１４８２８６号公報
【特許文献４】特開平１１−２１８７９０号公報
【発明の概要】
【発明が解決しようとする課題】
【０００７】
しかしながら、上記背景技術で述べた従来の波長多重光ネットワークシステム及び波長多重光信号の受信装置並びに光信号の波長多重化方法にあっては、前述のとおり、波長多重光伝送の多波長化に伴い、３局以上の複数局を含む光ネットワークシステムにおいて、光信号のＡｄｄ／Ｄｒｏｐ機能（ＯＡＤＭ）を有する波長分岐装置を使用する光ネットワークシステムが提案されてはいるが、これまでのファイバ分岐装置とは異なり、複数波長を有する光信号のＡｄｄ／Ｄｒｏｐであるため、本来は送信する必要の無い他局用の波長帯の信号までもが各端局装置に伝送されてしまうことによる漏話の危険性を有しており、セキュリティ対策上の問題点が有る。
特に、海底ケーブルシステムのような多国間を結ぶ通信の場合、盗聴の危険性が有り、国家の安全対策上からも好ましくない。
【０００８】
この分野における既成の技術と本発明の技術とを比較すると、まず、本発明は、
（１）  複数の端局装置を相互に接続する波長多重光ネットワークシステムにおいて、入力信号を分岐する分岐装置と、分岐装置と端局との間に設置される増幅器と、増幅器から端局装置までの間に、他の経路の信号を遮断するフィルタと、を備える構成とし、
（２）  前記の（１）に示す構成において、増幅器に入力されるトータルパワーが一定になるように、各端局装置は未使用の通信波長帯でダミー信号を送信する、
ことを骨子としている。
【０００９】
これに対し、前述の特許文献２及び特許文献４には、各々、（１）に示す入力信号を分岐する分岐装置、及び他の経路の信号を遮断するフィルタと、同様の構成要素の記載が有る。但し、ここでは、用語の対応として、これらの文献に記載の「受信器」を、発明の「端局装置」に置き換え、さらに「増幅器の配置」を、（１）に示す「光分岐器と端局との間に設置された増幅器」に置き換えて類似性を判断している。
【００１０】
また、前述の特許文献１には、（１）に示す入力信号を分岐する分岐装置、及び他の経路の信号を遮断するフィルタの記載が有り、また、分岐装置と端局装置との間に設置される増幅器と同様の記載が有る。但し、ここでは、用語の対応として、特許文献１に記載の「増幅器の配置」を、（１）に示す分岐装置と端局との間に設置される増幅器要素ｃに置き換えて類似性を判断している。また、特許文献１には、「伝送路による光の伝送先に端局を設ける」ことを示す具体的な記載はないが、（１）に示す発明の構成と実質的には同一であると見なせる。さらに、特許文献３には、前記の（２）と同様の記載が有る。
しかしながら、上記の類似性は、部分的かつ断片的なものに過ぎず、全体を通した組み合わせでは、本発明内容と同一とは言えない。
【００１１】
本発明は、上記既成の波長多重光ネットワークシステムの問題点に鑑みてなされたものであって、ケーブル区間に、必要のない波長を遮断するフィルタを具備することを可能にして、信号波長のセキュリティ機能を有する波長多重光ネットワークシステム及び波長多重光の送受信方法を提供することを目的としている。
【課題を解決するための手段】
【００１２】
上記課題を解決するために、本発明に係る波長多重光ネットワークシステムは、第１の端局装置と、前記端局装置に接続された分岐装置と、前記端局装置と前記分岐装置を介して接続された複数の第２の端局装置と、前記第１及び第２の端局装置の各々の前段に配置された中継器とを有する波長多重光ネットワークシステムであって、前記複数の第２の端局装置の各々と前記中継器との間に遮断器を備え、さらに、前記第１の端局装置からは、前記複数の第２の端局装置の各々に対応した波長帯全ての送信信号を重ねた送信信号を送信する手段と、前記複数の第２の端局装置の各々からは、自局に対応した波長帯の送信信号と、自局を除く他の前記複数の第２の端局装置の各々に対応した波長帯全てのダミーの送信信号とを重ねた送信信号を送信する手段と、を備えたことを特徴とする。
【００１３】
また、本発明に係る波長多重光の送受信方法は、第１の端局装置と、前記端局装置に接続された分岐装置と、前記端局装置と前記分岐装置を介して接続された複数の第２の端局装置と、前記第１及び第２の端局装置の各々の前段に配置された中継器とを有する波長多重光ネットワークシステムにおける波長多重光の送受信方法であって、前記複数の第２の端局装置の各々と前記中継器との間に遮断器を設置するステップと、前記第１の端局装置からは、前記複数の第２の端局装置の各々に対応した波長帯全ての送信信号を重ねた送信信号を送信するステップと、前記複数の第２の端局装置の各々からは、自局に対応した波長帯の送信信号と、自局を除く他の前記複数の第２の端局装置の各々に対応した波長帯全てのダミーの送信信号とを重ねた送信信号を送信するステップと、を有することを特徴とする。
【発明の効果】
【００１４】
以上説明したように、本発明の波長多重光ネットワークシステムによれば、分岐装置により分岐された伝送路に接続される端局装置と中継器との間に当該端局装置用の波長帯の信号のみをパスさせる遮断機を設け、分岐前の伝送路に接続された端局装置からは全波長帯の信号を送信し、分岐後の伝送路に接続された端局装置からは自局に対応した波長帯の送信信号と、自局を除く他の端局装置の各々に対応した波長帯全てのダミーの送信信号とを重ねて送信することにより、信号波長のセキュリティ機能を有する波長多重光ネットワークシステムを提供することができる効果がある。
【図面の簡単な説明】
【００１５】
【図１】本発明の実施形態に係る波長多重光ネットワークシステムの全体構成を示す構成図である。
【発明を実施するための形態】
【００１６】
以下、本発明の波長多重光ネットワークシステムの実施形態について、図面を参照して詳細に説明する。
図１は、本発明の実施形態に係る波長多重光ネットワークシステムの全体構成を示す構成図である。
同図において、本実施形態の波長多重光ネットワークシステムは、波長分岐を含む波長多重光ネットワークシステムであり、遮断フィルタ１，２と、端局装置Ａ，Ｂ，Ｃと、中継器Ｅ（１〜８）と、分岐装置Ｄと、を備える。
【００１７】
端局装置Ａ，Ｂ，Ｃは、例えば、それぞれ異なる国に設置される端局装置である。ここでは、端局装置ＡはＡ国、端局装置ＢはＢ国、端局装置ＣはＣ国に、それぞれ設置されるものとし、Ａ国−Ｂ国間ではＬ帯の波長帯で通信し、Ａ国−Ｃ国間ではＳ帯の波長帯で通信するものとする。
以下、図１に示す本実施形態の波長多重光ネットワークシステムの機能を説明する。
端局装置Ａは、他の端局装置Ｂ，Ｃと通信するために、Ｓ帯とＬ帯の両方の信号帯に信号を送信する。端局装置Ａから出た送信信号は、分岐装置Ｄにより、２分岐され、端局装置Ｂ及び端局装置Ｃへと伝送される。このとき、当然ながら、Ｓ帯とＬ帯の両方の送信信号が端局装置Ｂ及び端局装置Ｃへと伝送されることになる。
【００１８】
しかし、この伝送は、通常、該波長多重光ネットワーク内に存在する中継器Ｅ（１〜８）の存在により、制限される。即ち、通常、海底ケーブルシステムのような長期間のシステム動作を補償する中継器には、ＡＰＣ制御したＥＤＦＡが使用されており、中継器Ｅ（１〜８）も、このようなタイプの中継器である。この中継器Ｅ（１〜８）はトータルの信号パワーで動作する仕様であるため、分岐装置Ｄの前後で波長数が変わってしまうと正常動作しなくなる。このため、端局装置Ａから出た信号は、分岐装置ＤではＳ帯とＬ帯とに分けることなく、そのまま端局装置Ｂ及び端局装置Ａに向けて分岐している。
【００１９】
このため、端局装置Ａと端局装置Ｂとの間、及び端局装置Ａと端局装置Ｃとの間では、所定の任意の波長（または波長帯）以外の波長の信号も受信可能な状態となり、特に、分岐装置Ｄと端局装置Ｂとの間、及び分岐装置Ｄと端局装置Ｃとの間では、本来は保証されるべき波長セキュリティ機能が保証されなくなる。
もっとも、波長数（または波長帯）に応じた信号パワーで動作するものとして中継器Ｅ（１〜８）を設計することも可能であるが、その場合は、端局装置Ａ−分岐装置Ｄ間、端局装置Ｂ−分岐装置Ｄ間、端局装置Ｃ−分岐装置Ｄ間の、計３通りの区間を中継する中継器を設計することになり、コスト高になる。
【００２０】
よって、本実施形態に係る波長多重光ネットワークシステムでは、端局装置Ａから出た送信信号は、端局装置Ｂに到達する前に、Ｓ帯（またはＬ帯）を遮断する遮断フィルタ１を通過させ、また、端局装置Ｃに到達する前に、Ｓ帯（またはＬ帯）を遮断する遮断フィルタ２を通過させ、これにより、端局装置Ｂ，Ｃには、Ｌ帯（またはＳ帯）の送信信号のみを伝送する。
【００２１】
他方、端局装置Ｂ（または端局装置Ｃ）は、端局装置Ａと通信するために、Ｌ帯（またはＳ帯）の信号帯に送信信号を送信すると共に、該送信信号に併せてＳ帯（またはＬ帯）にダミー信号を送信する。
このダミー信号のパワーは、前述の仕様を有する中継器Ｅ（１〜８）を安定動作させるため、ダミー信号としては使用していない側（即ち送信信号）の信号帯（即ちＬ帯（またはＳ帯））と同じパワーとし、これにより中継器Ｅ（１〜８）を安定動作させるために必要なトータルパワー分を保証するものとする。
【００２２】
端局装置Ｂ（または端局装置Ｃ）から出た送信信号は、分岐装置Ｄにより、ダミー信号が乗っているＳ帯（またはＬ帯）が遮断され、端局装置Ｃ（または端局装置Ｂ）から来た信号と合波されて、端局装置Ａへ送られる。
これにより、端局装置Ａ−端局装置Ｂ間、及び端局装置Ａ−端局装置Ｃ間の、情報漏洩の防止が可能な双方向通信が可能になる。
この実施形態に係る波長多重光ネットワークシステムでは、前述のとおり、端局装置Ｂと、その前段に配置された中継器Ｅ５との間に遮断フィルタ１を挿入し、また、端局装置Ａと、その前段に配置された中継器Ｅ８との間に遮断フィルタ２を挿入するだけで、信号波長のセキュリティを確保した光ネットワークシステムを提供することができる効果が有る。
【００２３】
（他の実施の形態）
遮断フィルタＤは、端局装置の受信側と直近の中継器出力との間でありさえすれば、何処にでも設置可能であるから、例えば、中継器Ｅ（１〜８）のいずれかの出力端に設置することも可能であるし、また、海底ケーブルと陸揚げケーブルとを結ぶジョイントボックス内などに設置することも可能である。
【産業上の利用可能性】
【００２４】
本発明は、波長多重光ネットワークシステムの構築に適用可能であり、特に、複数の各々の局において、当該局対応の波長（または波長帯）以外の波長（または波長帯）の信号は受信できないようにする機能（即ち、波長セキュリティ機能）を高めた波長多重光ネットワークシステムの構築に最適である。
【符号の説明】
【００２５】
１，２  遮断フィルタ
Ａ，Ｂ，Ｃ  端局装置
Ｄ  分岐装置
Ｅ１〜８  中継器
【図１】
0005387311.tif 000002